(57)【要約】【課題】本発明は、床暖房リモコン４が電池駆動であった場合電池寿命が短くなり、また、熱源機１と床暖房リモコンの両方で電気を消費するため、消費電力が多いという課題を有していた。【解決手段】床暖房リモコン４に暖房運転停止中に送信中止情報を熱源機１へ送信する送信中止判定手段４ｂを備え、熱源機１が送信中止情報を受信すると、送信中止受信情報を床暖房リモコン４へ送信して以降の送信を停止し、床暖房リモコン４が送信中止受信情報を受信すると、送信中止手段４ｄが熱源機１への以降の送信を停止することにより、消費電力が減る。【選択図】  図１
2004278988.tif 000002
【特許請求の範囲】
【請求項１】
通信手段を有し温水の温度と流量を制御できる熱源機と、この熱源機の温水を利用し床暖房を行う床暖房装置と、居住者の暖房に対する要求を入力するスイッチ、前記熱源機との間で送受信できる通信手段を有する床暖房リモコンとを備え、暖房運転・停止を切替えるスイッチが暖房停止である状態が一定期間継続すると前記床暖房リモコンから送信中止情報を送信し、前記熱源機の通信手段が前記送信中止情報を受信すると、前記床暖房リモコンと前記熱源機の間で通信を行わないことを特徴とする省電力制御装置。
【請求項２】
床暖房リモコンの特定スイッチ操作を行うと前記床暖房リモコンから送信中止情報を送信することを特徴とする請求項１記載の省電力制御装置。
【請求項３】
床暖房リモコンの悪戯操作防止のためにスイッチ操作を無効とさせるロックスイッチを操作を行うと前記床暖房リモコンから送信中止情報を送信することを特徴とする請求項１記載の省電力制御装置。
【請求項４】
通信手段を有し温水の温度と流量を制御できる熱源機と、この熱源機の温水を利用し床暖房を行う床暖房装置と、居住者の暖房に対する要求を入力するスイッチ、前記熱源機との間で送受信できる通信手段を有する床暖房リモコンとを備え、暖房停止である状態が一定期間継続すると熱源機から送信中止情報を送信し、床暖房リモコンの通信手段が前記送信中止情報を受信すると、前記床暖房リモコンと前記熱源機の間で通信を行わないことを特徴とする省電力制御装置。
【請求項５】
床暖房リモコンに居住者への情報を表示する表示器を備え送信中止情報を送信、もしくは受信すると前記表示器の表示を消灯することを特徴とする請求項１または４記載の省電力制御装置。
【発明の詳細な説明】
【０００１】
【発明の属する技術分野】
本発明は、床暖房制御装置に関するものである。
【０００２】
【従来の技術】
従来この種の床暖房御装置は、図６に示すような構成になっている。
【０００３】
すなわち、温水を加熱して供給する熱源機１と、熱源機１と温水の往き配管２ａ、温水の戻り配管２ｂにより接続されて室内の床に設置され、熱源機１から温水の往き配管２ａ、温水の戻り配管２ｂを介して供給される温水を熱源として暖房する床暖房パネル３とを備えた床暖房装置において、熱源機１と有線により通信可能に接続された通信中継ユニット５と、通信中継ユニット５と無線による通信を行なう床暖房リモコン４とを備え、通信中継ユニット５は、床暖房リモコン４から無線により送信された熱源機１に対する制御信号を受信したときに、制御信号を熱源機１に対して通信ケ−ブルを介して有線により送信する（例えば、特許文献１参照）。
【０００４】
【特許文献１】
特開２００２−２５７３６１号公報
【０００５】
【発明が解決しようとする課題】
しかしながら、従来の構成では、無線床暖房リモコンが電池駆動であった場合電池寿命が短くなり、また、熱源機と床暖房リモコンの両方で電気を消費するため、消費電力が多いという課題を有していた。
【０００６】
【課題を解決するための手段】
本発明は上記課題を解決するために、夏場に使用しない床暖房において、使用していない場合は通信を行わなくしたものである。
【０００７】
上記発明によれば、使用していないときの消費電力を少なくできる。
【０００８】
【発明の実施の形態】
本発明の請求項１記載の発明は、通信手段を有し温水の温度と流量を制御できる熱源機と、この熱源機の温水を利用し床暖房を行う床暖房装置において、居住者の暖房に対する要求を入力するスイッチ、前記熱源機との間で送受信できる通信手段を有する床暖房リモコンとを備え、暖房運転・停止を切替えるスイッチが暖房停止である状態が一定期間継続すると前記床暖房リモコンから通信中止情報を送信し、前記熱源機の通信手段が前記送信中止情報を受信すると、前記床暖房リモコンと前記熱源機の間で通信を行わなくするため、床暖房を使用していない間の通信時に費やす無駄な電力を消費しないために、消費電力を少なくするという作用を有する。
【０００９】
請求項２記載の発明は、床暖房リモコンの特定スイッチ操作を行うと床暖房リモコンから送信中止情報を送信するため、居住者の意思によって長期不在の間などしばらく使用しない間の通信時に費やす無駄な電力を消費しないようにできるために、確実に床暖房を使用しない期間においての消費電力を少なくするという作用を有する。
【００１０】
請求項３記載の発明は、床暖房リモコンの悪戯操作防止のためにスイッチ操作を無効とさせるロックスイッチを操作すると、床暖房リモコンから送信中止情報を送信するため、居住者の意思によって使用させたくない間は、通信時に費やす無駄な電力を消費しないようにできるために、確実に床暖房を使用させない期間においての消費電力を少なくするという作用を有する。
【００１１】
請求項４記載の発明は、熱源機が暖房停止である状態が一定期間継続すると前記熱源機から通信中止情報を送信し、床暖房リモコンの通信手段が前記送信中止情報を受信すると、前記床暖房リモコンと前記熱源機の間で通信を行わなくするため、床暖房を使用していない間の通信時に費やす無駄な電力を消費しないために、消費電力を少なくするという作用を有する。
【００１２】
請求項５記載の発明は、床暖房リモコンに居住者への情報を表示する表示器を備え、送信中止情報を送信、もしくは受信すると前記表示器の表示を消灯するため、通信時の消費電力と表示のための消費電力を費やさないため消費電力を少なくするという作用を有する。
【００１３】
【実施例】
以下、本発明の実施例について図面を用いて説明する。なお、従来例と同一部品には同一番号を付し説明する。
【００１４】
（実施例１）
図１は本発明の実施例１の省電力制御装置の構造図である。
【００１５】
本発明の実施例１の省電力制御装置を同図１にて説明する。
【００１６】
温水を加熱して供給する熱源機１と、熱源機１と温水の往き配管２ａ、温水の戻り配管２ｂにより接続されて室内の床に設置され、熱源機１から温水の往き配管２ａ、温水の戻り配管２ｂを介して供給される温水を熱源として室内を暖房する床暖房パネル３とを備えた床暖房装置において、熱源機１の通信手段１ａと通信を行なう床暖房リモコン４とを備え、床暖房リモコン４の通信手段４ａから送信された熱源機１に対する制御信号を熱源機１の通信手段１ａが受信し、受信情報に従い熱源機を運転する。
【００１７】
ここで、床暖房リモコン４の暖房運転スイッチ４ｃを暖房停止操作してから一定期間、例えば、７日間暖房停止が継続したと送信中止判定手段４ｂが判断すると、通信手段４ａから送信中止情報を熱源機１へ送信する。
【００１８】
熱源機１の通信手段１ａが送信中止情報を受信すると、送信中止手段１ｂにより送信中止受信情報を床暖房リモコン４へ送信し、以降の床暖房リモコン４への送信を止める。
【００１９】
床暖房リモコン４の通信手段４ａが送信中止受信情報を受信すると、送信中止手段４ｄにより以降の熱源機１への送信を止める。
【００２０】
また、床暖房リモコン４のスイッチ操作があった場合、送信中止解除情報を熱源機１へ送信する送信中止解除判定手段４ｅを備え、熱源機１の通信手段１ａが送信中止解除情報を受信すると床暖房リモコン４へ送信中止解除受信情報を送信し、以降の床暖房リモコン４への送信を行う送信中止解除手段１ｃを備え、床暖房リモコン４の通信手段４ａが送信中止解除受信情報を受信すると、以降の熱源機１への送信を行う送信中止解除手段４ｆを備えることにより、床暖房を使用していない間は通信時に費やす無駄な電力を消費しないために、消費電力を少なくするという作用を有する。
【００２１】
（実施例２）
図２は本発明の実施例２の省電力制御装置の構造図である。
【００２２】
本発明の実施例２の省電力制御装置を同図２にて説明する。
【００２３】
以下、実施例１との相違点について説明する。
【００２４】
床暖房リモコン４の特定スイッチ、例えば  暖房運転スイッチ４ｃと暖房設定温度調整スイッチ４ｇの同時５秒押し操作すると、通信手段４ａから送信中止情報を熱源機１へ送信する送信中止操作判定手段４ｂを備えることにより、居住者の意思によって長期不在の間などしばらく使用しない間の通信時に費やす無駄な電力を消費しないようにできるために、確実に床暖房を使用しない期間においての消費電力を少なくするという作用を有する。
【００２５】
（実施例３）
図３は本発明の実施例３の省電力制御装置の構造図である。
【００２６】
本発明の実施例３の省電力制御装置を同図３にて説明する。
【００２７】
以下、実施例１との相違点について説明する。
【００２８】
床暖房リモコン４の悪戯操作防止のためにスイッチ操作を無効とさせるロックスイッチ４ｉを操作をすると、通信手段４ａから送信中止情報を熱源機１へ送信する送信中止ロック操作判定手段４ｊを備えることにより、居住者の意思によって使用させたくない間は、通信時に費やす無駄な電力を消費しないようにできるために、確実に床暖房を使用させない期間においての消費電力を少なくするという作用を有する。
【００２９】
（実施例４）
図４は本発明の実施例４の省電力制御装置の構造図である。
【００３０】
本発明の実施例４の省電力制御装置を同図４にて説明する。
【００３１】
以下、実施例１との相違点について説明する。
【００３２】
熱源機１が暖房運転停止してから一定期間、例えば、７日間暖房運転停止が継続したと送信中止運転判定手段１ｄが判断すると、通信手段１ａから送信中止情報を床暖房リモコン４へ送信する。
【００３３】
床暖房リモコン４の通信手段４ａが送信中止情報を受信すると、送信中止返信手段４ｋにより送信中止受信情報を熱源機１へ送信し、以降の熱源機１への送信を止める。
【００３４】
熱源機１の通信手段１ａが送信中止受信情報を受信すると、以降の床暖房リモコン４への送信を止める送信中止確定手段１ｅを備えることにより、床暖房を使用していない間は通信時に費やす無駄な電力を消費しないために、消費電力を少なくするという作用を有する。
【００３５】
（実施例５）
図５は本発明の実施例５の省電力制御装置の構造図である。
【００３６】
本発明の実施例５の省電力制御装置を同図５にて説明する。
【００３７】
以下、実施例１との相違点について説明する。
【００３８】
床暖房リモコン４に居住者への情報を表示する表示器４Ｌを備え、床暖房リモコン４の通信手段４ａが送信中止受信情報を受信すると、送信中止手段４ｄにより以降の熱源機１への送信を止め、前記表示器４Ｌの表示を消灯する表示消灯手段４ｍを備えることにより、通信時の消費電力と表示のための消費電力を消費しないため消費電力を少なくするという作用を有する。
【００３９】
【発明の効果】
以上のように本発明によれば、夏場などに使用しない期間が多い床暖房において、使用しない期間の無駄な電力を消費することがなくなり、また、電池を電源とする床暖房リモコンにおいても電池寿命を延ばすことができるという効果が得られる。
【図面の簡単な説明】
【図１】本発明の実施例１の形態による省電力制御装置を示す構造図
【図２】本発明の実施例２の形態による省電力制御装置を示す構造図
【図３】本発明の実施例３の形態による省電力制御装置を示す構造図
【図４】本発明の実施例４の形態による省電力制御装置を示す構造図
【図５】本発明の実施例５の形態による省電力制御装置を示す構造図
【図６】従来の床暖房制御装置を示す構造図
【符号の説明】
１  熱源機
１ａ  通信手段
３  床暖房パネル
４  床暖房リモコン
４ａ  通信手段
４ｃ  暖房運転スイッチ
４ｉ  ロックスイッチ
４Ｌ  表示器
【図１】
2004278988.tif 000003
【図２】
2004278988.tif 000004
【図３】
2004278988.tif 000005
【図４】
2004278988.tif 000006
【図５】
2004278988.tif 000007
【図６】
2004278988.tif 000008